(57)【要約】【課題】  生産効率、作業効率および分離分解性を改善することが可能な衛星放送受信用コンバータの気密構造を提供する。【解決手段】  パッキン２１は環状の凹部を有し、環状の凹部の外周側内壁面および内周側内壁面には、先端が丸まった突起部２１ａ，２１ｂが環状に設けられている。まず、シャーシ部材１１の周縁部分に沿って形成された環状の溝部に、環状のパッキン２１を嵌め込む。そして、パッキン２１の環状の凹部にシャーシ部材１２の周縁部分に沿って形成された環状の凸部を嵌め込む。このとき、パッキン２１はシャーシ部材１２の凸部を弾性力によって把持する。このように、弾性を有する特殊形状のパッキン２１を介して、シャーシ部材１１とシャーシ部材１２とを組合わせることによって、コンバータ内部の気密性が保持される。したがって、生産効率、作業効率および分離分解性が改善される。【選択図】        図５
2006216751.tif 000002
【特許請求の範囲】
【請求項１】
内部の気密性を保持するように構成された衛星放送受信用コンバータの気密構造であって、
その周縁部分に沿って環状の凸部が設けられた第１のシャーシ部材、
その周縁部分に沿って環状の溝部が設けられた第２のシャーシ部材、および
弾性部材で構成され、前記第２のシャーシ部材の溝部に嵌め込まれ、前記第１のシャーシ部材の凸部が嵌め込まれる環状の凹部を有し、前記環状の凹部に嵌め込まれた前記第１のシャーシ部材の凸部を前記弾性部材の弾性力によって把持する環状のパッキンを備える、衛星放送受信用コンバータの気密構造。
【請求項２】
前記パッキンは、
前記環状の凹部の外周側内壁面に形成された環状の第１の突起部、および
前記環状の凹部の内周側内壁面に形成された環状の第２の突起部を有する、請求項１に記載の衛星放送受信用コンバータの気密構造。
【請求項３】
前記パッキンは、
前記第１のシャーシ部材の凸部から前記第１の突起部に加えられた力を分散させるように、前記パッキンの外周側側面に形成された環状の第１の窪み部、および
前記第１のシャーシ部材の凸部から前記第２の突起部に加えられた力を分散させるように、前記パッキンの内周側側面に形成された環状の第２の窪み部をさらに有する、請求項２に記載の衛星放送受信用コンバータの気密構造。
【請求項４】
前記パッキンは、
その外周側側面に形成された環状の第１の突起部、および
その内周側側面に形成された環状の第２の突起部を有する、請求項１に記載の衛星放送受信用コンバータの気密構造。
【請求項５】
前記パッキンは、
前記第２のシャーシ部材の溝部から前記第１の突起部に加えられた力を分散させるように、前記環状の凹部の外周側内壁面に形成された環状の第１の窪み部、および
前記第２のシャーシ部材の溝部から前記第２の突起部に加えられた力を分散させるように、前記環状の凹部の内周側内壁面に形成された環状の第２の窪み部をさらに有する、請求項４に記載の衛星放送受信用コンバータの気密構造。
【請求項６】
前記パッキンは、
前記環状の凹部の外周側内壁面と前記パッキンの下側側面との境界部分に形成された第１の面取り部、および
前記環状の凹部の内周側内壁面と前記パッキンの下側側面との境界部分に形成された第２の面取り部を有する、請求項１から請求項５までのいずれかに記載の衛星放送受信用コンバータの気密構造。
【請求項７】
前記パッキンの前記環状の凹部の外周側内壁面と内周側内壁面との間隔は、前記第１のシャーシ部材の凸部の外周側側面と内周側側面との間隔よりも狭く、
前記パッキンは、
その外周側側面と上側側面との境界部分に形成された第１の面取り部、
その内周側側面と上側側面との境界部分に形成された第２の面取り部、
前記環状の凹部の外周側内壁面と前記パッキンの下側側面との境界部分に形成された第３の面取り部、および
前記環状の凹部の内周側内壁面と前記パッキンの下側側面との境界部分に形成された第４の面取り部を有する、請求項１に記載の衛星放送受信用コンバータの気密構造。
【請求項８】
前記パッキンはエチレンプロピレンゴムを主材料として構成される、請求項１から請求項７までのいずれかに記載の衛星放送受信用コンバータの気密構造。
【請求項９】
前記パッキンはシリコンを主材料として構成される、請求項１から請求項７までのいずれかに記載の衛星放送受信用コンバータの気密構造。
【発明の詳細な説明】
【技術分野】
【０００１】
この発明は、衛星放送受信用コンバータの気密構造に関し、特に、内部の気密性を保持するように構成された衛星放送受信用コンバータの気密構造に関する。
【背景技術】
【０００２】
放送衛星（ＢＳ）または通信衛星（ＣＳ）から送信された電波を受信するアンテナ装置に取付けられ、屋外に設置される衛星放送受信用コンバータ（ＬＮＢ：低雑音コンバータ）は、コンバータ内部の気密性を保持して雨水や湿気の浸入を防ぐ必要がある。このため、従来より様々な気密保持方法が提案されてきた。
【０００３】
図１２は、従来の衛星放送受信用コンバータの概略構造を示す断面図である。図１２において、この衛星放送受信用コンバータは、シャーシ部材１０１，１０２と、シール部材１１１とを備える。
【０００４】
図１３は、図１２に示した領域Ｂの部分拡大図である。図１３を参照して、衛星放送受信用コンバータを作製する際、シャーシ部材１０１とシャーシ部材１０２とが組合わされる。このとき、シャーシ部材１０１の周縁部分に沿って形成された環状の凹部とシャーシ部材１０２の周縁部分に沿って形成された環状の凸部との隙間に、シリコン系樹脂を主成分とするシリコンシール剤（液剤）を流し込む。そして、シリコンシール剤を一定時間乾燥させ、硬化したシール部材１１１を形成して、コンバータ内部の気密性を保持するようにしている。
【０００５】
下記の特許文献１には、修理改造時においても取り外し作業が容易で、良好な気密性が長期間保持可能な低コストのＬＮＢコンバータを実現する方法が開示されている。これによると、シャーシ部材と蓋部材とから内部の気密性を保持するように構成されたＬＢＮコンバータの気密構造において、蓋部材の外周部分に溝部を設けその溝部にシール部材を配置し、そのシール部材を介して蓋部材の溝部に挿入されるリブをシャーシ部材の側面外周端部に突出するように設け、さらにシャーシ部材と蓋部材とを係合して固定する係合部を設けて構成している。
【０００６】
また下記の特許文献２には、ケーブルの動き等によって防水が損なわれることのない信頼性の高い衛星放送コンバータが開示されている。この場合、配線部材を接続するための接栓部に伸縮自在な防水カバーを取付ける。
【特許文献１】特開平１１−２８９１７４号公報
【特許文献２】特開平１１−１５４５５６号公報
【発明の開示】
【発明が解決しようとする課題】
【０００７】
しかしながら、図１２および図１３を用いて説明した従来の衛星放送受信用コンバータの気密構造では、コンバータを作製する際にシリコンシール剤を乾燥させるための時間が約２〜３時間必要であるため、生産効率が非常に悪いという問題があった。また、コンバータを修理改造する際、硬化したシール部材１１１を取り除くのに数分かかり、作業効率が非常に悪いという問題があった。このため、これらの問題点に対する改善が求められていた。さらに、シール部材１１１の分離分解性が非常に悪く、シール部材１１１を完全に分別して廃棄処理することができないため、環境配慮の面でも問題があった。
【０００８】
それゆえに、この発明の主たる目的は、生産効率、作業効率および分離分解性を改善することが可能な衛星放送受信用コンバータの気密構造を提供することである。
【課題を解決するための手段】
【０００９】
この発明に係わる衛星放送受信用コンバータの気密構造は、内部の気密性を保持するように構成された衛星放送受信用コンバータの気密構造であって、その周縁部分に沿って環状の凸部が設けられた第１のシャーシ部材と、その周縁部分に沿って環状の溝部が設けられた第２のシャーシ部材と、弾性部材で構成され、第２のシャーシ部材の溝部に嵌め込まれ、第１のシャーシ部材の凸部が嵌め込まれる環状の凹部を有し、環状の凹部に嵌め込まれた第１のシャーシ部材の凸部を弾性部材の弾性力によって把持する環状のパッキンとを備えたものである。
【００１０】
好ましくは、パッキンは、環状の凹部の外周側内壁面に形成された環状の第１の突起部と、環状の凹部の内周側内壁面に形成された環状の第２の突起部とを有する。
【００１１】
また好ましくは、パッキンは、第１のシャーシ部材の凸部から第１の突起部に加えられた力を分散させるように、パッキンの外周側側面に形成された環状の第１の窪み部と、第１のシャーシ部材の凸部から第２の突起部に加えられた力を分散させるように、パッキンの内周側側面に形成された環状の第２の窪み部とをさらに有する。
【００１２】
また好ましくは、パッキンは、その外周側側面に形成された環状の第１の突起部と、その内周側側面に形成された環状の第２の突起部とを有する。
【００１３】
また好ましくは、パッキンは、第２のシャーシ部材の溝部から第１の突起部に加えられた力を分散させるように、環状の凹部の外周側内壁面に形成された環状の第１の窪み部と、第２のシャーシ部材の溝部から第２の突起部に加えられた力を分散させるように、環状の凹部の内周側内壁面に形成された環状の第２の窪み部とをさらに有する。
【００１４】
また好ましくは、パッキンは、環状の凹部の外周側内壁面とパッキンの下側側面との境界部分に形成された第１の面取り部と、環状の凹部の内周側内壁面とパッキンの下側側面との境界部分に形成された第２の面取り部とをする。
【００１５】
また好ましくは、パッキンの環状の凹部の外周側内壁面と内周側内壁面との間隔は、第１のシャーシ部材の凸部の外周側側面と内周側側面との間隔よりも狭い。パッキンは、その外周側側面と上側側面との境界部分に形成された第１の面取り部と、その内周側側面と上側側面との境界部分に形成された第２の面取り部と、環状の凹部の外周側内壁面とパッキンの下側側面との境界部分に形成された第３の面取り部と、環状の凹部の内周側内壁面とパッキンの下側側面との境界部分に形成された第４の面取り部とを有する。
【００１６】
また好ましくは、パッキンはエチレンプロピレンゴムを主材料として構成される。
【００１７】
また好ましくは、パッキンはシリコンを主材料として構成される。
【発明の効果】
【００１８】
この発明に係わる衛星放送受信用コンバータの気密構造では、その周縁部分に沿って環状の凸部が設けられた第１のシャーシ部材と、その周縁部分に沿って環状の溝部が設けられた第２のシャーシ部材と、弾性部材で構成され、第２のシャーシ部材の溝部に嵌め込まれ、第１のシャーシ部材の凸部が嵌め込まれる環状の凹部を有し、環状の凹部に嵌め込まれた第１のシャーシ部材の凸部を弾性部材の弾性力によって把持する環状のパッキンとが設けられる。したがって、第１のシャーシ部材の凸部からパッキンの凹部に加えられる力を利用して、パッキンと第１および第２のシャーシ部材とが圧接されて密着固定される。このように、弾性を有する特殊形状のパッキンを介して、第１のシャーシ部材と第２のシャーシ部材１２とを組合わせることによって、コンバータ内部の気密性を保持する。これにより、生産効率、作業効率および分離分解性が改善される衛星放送受信用コンバータの気密構造が実現できる。
【発明を実施するための最良の形態】
【００１９】
［実施の形態１］
図１は、この発明の実施の形態１によるアンテナ装置の概略構成を示す図である。図１において、このアンテナ装置は、パラボラアンテナ１と、衛星放送受信用コンバータ２と、ケーブル３とを備える。
【００２０】
パラボラアンテナ１は、放送衛星または通信衛星から送信された電波を受ける。衛星放送受信用コンバータ２は、パラボラアンテナ１によって反射された電波を受信する。この衛星放送受信用コンバータ２は、ケーブル３を介して図示しない受信装置に接続される。
【００２１】
図２および図３は、それぞれ図１に示した衛星放送受信用コンバータ２の概略構造を示す側面図および正面図である。図２および図３を参照して、この衛星放送受信用コンバータ２は、シャーシ部材１１，１２と、導波管部１３と、ホーンキャップ１４とを含む。
【００２２】
シャーシ部材１１に導波管部１３が設けられ、導波管部１３の先端部分にホーンキャップ１４が設けられる。シャーシ部材１１とシャーシ部材１２とが組合わされて、コンバータ内部の気密性が保持される。
【００２３】
図４は、図３のＸ−Ｘ線断面図である。図４において、この衛星放送受信用コンバータは、シャーシ部材１１，１２と、パッキン２１とを含む。シャーシ部材１１とシャーシ部材１２は、パッキン２１を介して組合わされる。
【００２４】
図５は、図４に示した領域Ａの部分拡大図である。図５を参照して、衛星放送受信用コンバータを作製する際、まずシャーシ部材１１の周縁部分に沿って形成された環状の溝部に、環状のパッキン２１が嵌め込まれる。このパッキン２１は環状の凹部を有し、この環状の凹部の外周側内壁面および内周側内壁面には、先端が丸まった突起部２１ａ，２１ｂが環状に設けられている。
【００２５】
そして、パッキン２１の環状の凹部にシャーシ部材１２の周縁部分に沿って形成された環状の凸部が嵌め込まれる。このとき、パッキン２１の突起部２１ａとシャーシ部材１２の凸部の外周側側面とが圧着され、かつパッキン２１の突起部２１ｂとシャーシ部材１２の凸部の内周側側面とが圧着され、パッキン２１はシャーシ部材１２の凸部を弾性力によって把持する。このように、シャーシ部材１２の凸部からパッキン２１の突起部２１ａ，２１ｂに加えられる力を利用して、パッキン２１とシャーシ部材１１，１２とを圧接させて密着固定する。これにより、コンバータ内部の気密性が保持される。
【００２６】
このパッキン２１は、たとえばＥＰＤＭ（エチレンプロピレンゴム）やシリコンを主材料として構成される弾性部材である。
【００２７】
以上のように、この実施の形態１では、弾性を有する特殊形状のパッキン２１を介して、シャーシ部材１１とシャーシ部材１２とを組合わせることによって、コンバータ内部の気密性を保持する。シャーシ部材１１とシャーシ部材１２とは外れ難く、良好な気密性を長期間保持することが可能であり、長期信頼性にも問題がない。
【００２８】
したがって、コンバータを作製する際、従来のようにシリコンシール剤を乾燥させる時間が不要となるため、生産効率が改善される。また、コンバータを修理改造する際、パッキン２１を簡単に取り除くことができるため、作業効率が改善される。さらに、コンバータを廃棄処理する際、分離分解性が改善されるため分別廃棄処理が可能となり、環境配慮の面でも問題がない製品を提供することが可能になる。また、コンバータの生産直行率が改善され、不良品の割合を抑えることができる。
【００２９】
［実施の形態１の変更例］
図６は、この発明の実施の形態１の変更例によるパッキン３１の形状を示す図である。図６において、このパッキン３１は、図５に示したパッキン２１と同様に、環状の凹部の外周側内壁面および内周側内壁面に、先端が丸まった突起部３１ａ，３１ｂが環状に形成されている。さらに、このパッキン３１の外周側側面および内周側側面には、窪み部３１ｃ，３１ｄが環状に形成されている。
【００３０】
この場合、シャーシ部材１２の凸部の外周側側面および内周側側面から突起部３１ａ，３１ｂに加えられた力を、窪み部３１ｃ，３１ｄで分散させることができる。
【００３１】
したがって、この実施の形態１の変更例では、実施の形態１と同様に、生産効率、作業効率および分離分解性が改善される衛星放送受信用コンバータの気密構造が実現できる。
【００３２】
［実施の形態１の他の変更例］
図７は、この発明の実施の形態１の他の変更例によるパッキン４１の形状を示す図である。図７において、このパッキン４１は、図６に示したパッキン３１と同様に、その外周側側面および内周側側面に、窪み部４１ｃ，４１ｄが環状に形成されている。また、このパッキン４１の環状の凹部の外周側内壁面および内周側内壁面には、先端が尖った突起部４１ａ，４１ｂが環状に形成されている。このように先端が尖った突起部４１ａ，４１ｂを設けた場合も、実施の形態１の変更例にように先端が丸まった突起部３１ａ，３１ｂを設けた場合と同様の効果を奏する。
【００３３】
したがって、この実施の形態１の他の変更例では、実施の形態１と同様に、生産効率、作業効率および分離分解性が改善される衛星放送受信用コンバータの気密構造が実現できる。
【００３４】
［実施の形態２］
図８は、この発明の実施の形態２によるパッキン５１の形状を示す図である。図８において、このパッキン５１は、その外周側側面および内周側側面に先端が丸まった突起部５１ｃ，５１ｄが環状に形成されている。
【００３５】
この場合、パッキン５１の突起部５１ｃとシャーシ部材１１の溝部の外周側内壁面とが圧着され、パッキン５１の突起部５１ｄとシャーシ部材１１の溝部の内周側内壁面とが圧着され、パッキン５１はシャーシ部材１２の凸部を弾性力によって把持する。このように、シャーシ部材１１の溝部からパッキン５１の突起部５１ｃ，５１ｄに加えられる力を利用して、パッキン５１とシャーシ部材１１，１２とを圧接させて密着固定する。これにより、コンバータ内部の気密性が保持される。
【００３６】
したがって、この実施の形態２では、実施の形態１と同様に、生産効率、作業効率および分離分解性が改善される衛星放送受信用コンバータの気密構造が実現できる。
【００３７】
なお、図示しないが、パッキン５１の外周側側面および内周側側面に先端が丸まった突起部５１ｃ，５１ｄを設ける代わりに、先端が尖った突起部５１ｃ，５１ｄを設けてもよい。
【００３８】
［実施の形態２の変更例］
図９は、この発明の実施の形態２の変更例によるパッキン６１の形状を示す図である。図９において、このパッキン６１は、図８に示したパッキン５１と同様に、その外周側側面および内周側側面に、先端が丸まった突起部６１ｃ，６１ｄが環状に形成されている。さらに、環状の凹部の外周側内壁面および内周側内壁面には、窪み部６１ａ，６１ｂが環状に形成されている。
【００３９】
この場合、シャーシ部材１１の溝部の外周側内壁面および内周側内壁面から突起部６１ｃ，６１ｄに加えられた力を、窪み部６１ａ，６１ｂで分散させることができる。
【００４０】
したがって、この実施の形態２の変更例では、実施の形態２と同様に、生産効率、作業効率および分離分解性が改善される衛星放送受信用コンバータの気密構造が実現できる。
【００４１】
［実施の形態３］
図１０は、この発明の実施の形態３によるパッキン７１の形状を示す図である。図１０において、このパッキン７１は、図６に示したパッキン３１と同様に、環状の凹部の外周側内壁面および内周側内壁面に先端が丸まった突起部７１ａ，７１ｂが環状に形成されている。また、このパッキン７１の外周側側面および内周側側面に、窪み部７１ｃ，７１ｄが環状に形成されている。
【００４２】
さらに、パッキン７１の外周側内壁面と下側側面との境界部分に面取り部７１ｇが形成され、外周側内壁面と下側側面との境界部分に面取り部７１ｈが形成されている。これらの面取り部７１ｇ，７１ｈは、たとえば斜め４５度の角度でＣ面取り加工されたものである。これにより、パッキン７１の環状の凹部にシャーシ部材１２の環状の凸部を嵌め込む際、その作業が容易になる。
【００４３】
したがって、この実施の形態３では、実施の形態１と同様に、生産効率、作業効率および分離分解性が改善される衛星放送受信用コンバータの気密構造が実現できる。また、シャーシ部材１１とシャーシ部材１２とを組合わせる作業がさらに容易になる。
【００４４】
なお、図示しないが、図８に示したパッキン５１の外周側内壁面と下側側面との境界部分に面取り部５１ｇを形成し、外周側内壁面と下側側面との境界部分に面取り部５１ｈを形成してもよい。また、図９に示したパッキン６１の外周側内壁面と下側側面との境界部分に面取り部６１ｇを形成し、外周側内壁面と下側側面との境界部分に面取り部６１ｈを形成してもよい。これらの場合も同様の効果が得られる。
【００４５】
［実施の形態４］
図１１は、この発明の実施の形態４によるパッキン８１の形状を示す図である。図１１において、このパッキン８１の凹部の外周側内壁面と内周側内壁面との間隔は、シャーシ部材１１の凸部の外周側側面と内周側側面との間隔よりも狭いものとする。パッキン８１は、その外周側側面と上側側面との境界部分に面取り部８１ｅが形成され、その内周側側面と上側側面との境界部分に面取り部８１ｆが形成されている。さらに、パッキン８１の外周側内壁面と下側側面との境界部分に面取り部８１ｇが形成され、外周側内壁面と下側側面との境界部分に面取り部８１ｈが形成されている。
【００４６】
この場合、パッキン８１の凹部の外周側内壁面とシャーシ部材１２の凸部の外周側側面とが圧着され、パッキン８１の凹部の内周側内壁面とシャーシ部材１２の凸部の内周側側面とが圧着され、パッキン８１はシャーシ部材１２の凸部を弾性力によって把持する。またこのとき、シャーシ部材１２の凸部からパッキン８１の凹部の外周側内壁面および内周側側面に加えられた力を、面取り部８１ｅ，８１ｆで分散させることができる。このように、シャーシ部材１２の凸部からパッキン８１の凹部の外周側内壁面および内周側内壁面に加えられる力を利用して、パッキン８１とシャーシ部材１１，１２とを圧接させて密着固定する。これにより、コンバータ内部の気密性が保持される。
【００４７】
さらに、パッキン８１の環状の凹部に面取り部８１ｇ，８１ｈを形成したことによって、パッキン８１の環状の凹部にシャーシ部材１２の環状の凸部を嵌め込む際、その作業が容易になる。
【００４８】
したがって、この実施の形態４では、実施の形態１と同様に、生産効率、作業効率および分離分解性が改善される衛星放送受信用コンバータの気密構造が実現できる。また、シャーシ部材１１とシャーシ部材１２とを組合わせる作業がさらに容易になる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５０】
【図１】この発明の実施の形態１によるアンテナ装置の概略構成を示す図である。
【図２】図１に示した衛星放送受信用コンバータの概略構造を示す側面図である。
【図３】図１に示した衛星放送受信用コンバータの概略構造を示す正面図である。
【図４】図３のＸ−Ｘ線断面図である。
【図５】図４に示した領域Ａの部分拡大図である。
【図６】この発明の実施の形態１の変更例によるパッキンの形状を示す図である。
【図７】この発明の実施の形態１の他の変更例によるパッキンの形状を示す図である。
【図８】この発明の実施の形態２によるパッキンの形状を示す図である。
【図９】この発明の実施の形態２の変更例によるパッキンの形状を示す図である。
【図１０】この発明の実施の形態３によるパッキンの形状を示す図である。
【図１１】この発明の実施の形態４によるパッキンの形状を示す図である。
【図１２】従来の衛星放送受信用コンバータの概略構造を示す断面図である。
【図１３】図１２に示した領域Ｂの部分拡大図である。
【符号の説明】
【００５１】
１  パラボラアンテナ、２  衛星放送受信用コンバータ、３  ケーブル、１１，１２，１０１，１０２  シャーシ部材、１３  導波管部、１４  ホーンキャップ、２１，３１，４１，５１，６１，７１，８１  パッキン、１１１  シール部材。
【図１】
2006216751.tif 000003
【図２】
2006216751.tif 000004
【図３】
2006216751.tif 000005
【図４】
2006216751.tif 000006
【図５】
2006216751.tif 000007
【図６】
2006216751.tif 000008
【図７】
2006216751.tif 000009
【図８】
2006216751.tif 000010
【図９】
2006216751.tif 000011
【図１０】
2006216751.tif 000012
【図１１】
2006216751.tif 000013
【図１２】
2006216751.tif 000014
【図１３】
2006216751.tif 000015